(57)【要約】【課題】  部品点数及び組付工数の削減を図ることができる電動モータを提供する。【解決手段】  電動モータ１は、回転子３及び固定子４を有するモータ本体部２を備えている。固定子４の固定子巻線７には、複数本のリード線８を有する外部接続用端子９が接続されている。また、電動モータ１は、各外部接続用端子９が接続される複数の端子台１１と、各外部接続用端子９及び各端子台１１を覆う端子カバー１２と、各端子台１１及び端子カバー１２をモータ本体部２に取り付けるための取付ブラケット１３とを備えている。端子カバー１２は、各外部接続用端子９の接続端子部１０と各端子台１１とを保護するカバー本体１４と、このカバー本体１４と一体成形され、各外部接続用端子９のリード線８を保護するリード線保護部１５とを有している。リード線保護部１５には、各リード線８を収容する複数のリード線収容領域１８を形成する仕切り板１７が設けられている。【選択図】  図２
2005318742.tif 000002
【特許請求の範囲】
【請求項１】
回転子及び固定子を有するモータ本体部と、
前記モータ本体部に取り付けられ、前記モータ本体部から取り出された複数本のリード線を有する外部接続用端子を覆う端子カバーとを備え、
前記端子カバーは、カバー本体と、前記カバー本体と一体化され、前記複数本のリード線を保護するリード線保護部とを有し、
前記リード線保護部には、前記各リード線を収容する複数のリード線収容領域を形成する仕切りが設けられていることを特徴とする電動モータ。
【請求項２】
前記リード線保護部は、前記カバー本体の外部及び内部にわたって設けられていることを特徴とする請求項１記載の電動モータ。
【請求項３】
前記端子カバーは、防水性及び電気的絶縁性を有するゴムで形成されていることを特徴とする請求項１または２記載の電動モータ。
【請求項４】
前記複数本の外部接続用端子が接続される端子台と、
前記端子台を前記端子カバーと共に前記モータ本体部に固定するための取付ブラケットとを更に備え、
前記カバー本体には、前記取付ブラケットが嵌め込まれる溝部が設けられていることを特徴とする請求項１〜３のいずれか一項記載の電動モータ。
【発明の詳細な説明】
【技術分野】
【０００１】
本発明は、誘導モータ等の電動モータに関するものである。
【背景技術】
【０００２】
従来の電動モータには、例えば回転子及び固定子を有するモータ本体部の外側に配置された外部接続用端子を絶縁保護するためのブッシング及び保護キャップを設けたものがある（例えば特許文献１参照）。
【特許文献１】特開２００３−１８９５３５号公報
【発明の開示】
【発明が解決しようとする課題】
【０００３】
しかしながら、上記従来技術においては、固定子と接続されるリード線の保護については何ら考慮されていない。従って、そのようなリード線を有する電動モータでは、例えばリード線を保護するためのガラスチューブ等が別に必要となり、電動モータの部品点数が多くなる。また、電動モータの組付工数も増える。
【０００４】
本発明の目的は、部品点数及び組付工数の削減を図ることができる電動モータを提供することである。
【課題を解決するための手段】
【０００５】
本発明の電動モータは、回転子及び固定子を有するモータ本体部と、モータ本体部に取り付けられ、モータ本体部から取り出された複数本のリード線を有する外部接続用端子を覆う端子カバーとを備え、端子カバーは、カバー本体と、カバー本体と一体化され、複数本のリード線を保護するリード線保護部とを有し、リード線保護部には、各リード線を収容する複数のリード線収容領域を形成する仕切りが設けられていることを特徴とするものである。
【０００６】
このような電動モータにおいては、複数本の外部接続用端子の先端部分は、端子カバーのカバー本体に覆われるので、塵等から保護される。また、複数本の外部接続用端子の各リード線は、端子カバーのリード線保護部に覆われるので、同様に塵等から保護される。このとき、複数のリード線収容領域を形成する仕切りをリード線保護部に設けることにより、リード線保護部がリード線保護用チューブ（例えばガラスチューブ等）としての機能をもつことになり、各リード線同士の接触が防止される。このようにリード線保護用チューブを用いなくても、複数本のリード線を確実に保護できるので、電動モータの部品点数を削減することが可能となる。また、リード線を１本ずつリード線保護用チューブに通す場合に比べて、電動モータの組付工数を削減することもできる。
【０００７】
好ましくは、リード線保護部は、カバー本体の外部及び内部にわたって設けられている。この場合には、リード線の先端側部分をカバー本体及びリード線保護部により十分に保護することができる。また、モータ本体部から取り出されたリード線が比較的長い場合でも、リード線の大部分を保護することができる。
【０００８】
また、好ましくは、端子カバーは、防水性及び電気的絶縁性を有するゴムで形成されている。この場合には、外部接続用端子を雨水等から十分に保護することができる。また、各リード線間の電気的絶縁や、リード線とモータ本体部との間の電気的絶縁を確保することができる。さらに、端子カバーが外部接続用端子を覆うようにモータ本体部に取り付けられている状態でも、端子カバーのカバー本体を弾性変形させることで、外部接続用端子の接続部分を露出させ、外部接続用端子の接続作業を容易に行うことができる。
【０００９】
さらに、好ましくは、複数本の外部接続用端子が接続される端子台と、端子台を端子カバーと共にモータ本体部に固定するための取付ブラケットとを更に備え、カバー本体には、取付ブラケットが嵌め込まれる溝部が設けられている。この場合には、カバー本体の溝部に取付ブラケットを嵌め込むと共に、取付ブラケットに端子台を取り付け、その状態で取付ブラケットをモータ本体部に取り付けることにより、端子台及び端子カバーを一緒に且つ簡単にモータ本体部に固定することができる。
【発明の効果】
【００１０】
本発明によれば、モータ本体部から取り出された複数本の外部接続用端子を有する電動モータについて、部品点数を削減できると共に、組付工数をも削減し、電動モータの組み付けにかかる負担を軽減することが可能となる。
【発明を実施するための最良の形態】
【００１１】
以下、本発明に係わる電動モータの好適な実施形態について、図面を参照して詳細に説明する。
【００１２】
図１は、本発明に係わる電動モータの一実施形態を示す斜視図であり、図２は、その電動モータの分解斜視図であり、図３は、図１に示す電動モータを反対側から見たときの部分斜視図である。
【００１３】
各図において、本実施形態の電動モータ１は、例えばフォークリフトのポンプモータとして使用される３相誘導モータである。電動モータ１はモータ本体部２を備えている。モータ本体部２は、シャフト（図示せず）に固定された円筒状の回転子３と、この回転子３の周囲に配置された円筒状の固定子４と、固定子４の一側部分を覆うようにシャフトに軸受（図示せず）を介して取り付けられたエンドブラケット５と、固定子４の他側部分を覆うようにシャフトに軸受（図示せず）を介して取り付けられたエンドブラケット６とを有している。エンドブラケット５，６を設けることにより、回転子３及び固定子４がスラスト方向に対して位置規制される。
【００１４】
固定子４は、回転子３との間に所定の空隙をもって配置されている。固定子４は、回転磁界を発生させるための固定子巻線７を有し、この固定子巻線７には、３本のリード線８を有する外部接続用端子９が接続されている。各外部接続用端子９は、固定子巻線７からエンドブラケット５に向けて略Ｌ字状に延びるように取り出されている。リード線８は、電気的絶縁性を保つべく、例えばエナメル線にワニス等の被覆を施してなるものである。リード線８の先端には、接続端子部１０が接続されている。
【００１５】
また、電動モータ１は、各外部接続用端子９を外部電線（図示せず）と接続するための３つの端子台１１と、各外部接続用端子９及び各端子台１１を覆う端子カバー１２と、各端子台１１及び端子カバー１２をモータ本体部２に取り付けるための取付ブラケット１３とを更に備えている。取付ブラケット１３は、各端子台１１と係合する端子台固定板１３ａと、この端子台固定板１３ａと一体化され、端子カバー１２と係合する端子カバー固定用フレーム１３ｂとを有している。なお、３つの端子台１１は、一つの部材として一体化されていてもよい。
【００１６】
図４は、端子カバー１２を裏面側から見たときの斜視図であり、図５は、端子カバー１２の正面図であり、図６は、図５のVI−VI線断面図である。各図において、端子カバー１２は、各外部接続用端子９の接続端子部１０と各端子台１１とを保護するＵ字型のカバー本体１４と、このカバー本体１４と一体成形され、各外部接続用端子９のリード線８を保護するリード線保護部１５とを有している。カバー本体１４には、固定子４の外周面と当接する湾曲状の当接面１６ａを有する張出部１６が設けられている。
【００１７】
端子カバー１２は、防水性及び電気的絶縁性を有するゴムで形成されていることが好ましい。これにより、外部接続用端子９及び端子台１１を雨水等から確実に保護することができる。なお、端子カバー１２の材料であるゴムとしては、エチレンプロピレン（ＥＰＤＭ）系ゴム等が挙げられる
【００１８】
リード線保護部１５は、カバー本体１４の外部に形成されたＵ字型の外側保護部１５ａと、この外側保護部１５ａとつながるようにカバー本体１４の内部に形成された筒状の内側保護部１５ｂとからなっている。このような構成とすることにより、リード線８が比較的長い場合でも、リード線８の大部分を塵や水等から十分に保護することができる。特に、接続端子部１０近傍辺りのリード線８は、内側保護部１５ｂ及びカバー本体１４により二重に保護される。
【００１９】
また、リード線保護部１５には、その一端（外側保護部１５ａ側の端）から他端（内側保護部１５ｂ側の端）まで延びる２枚の仕切り板１７が設けられている。これらの仕切り板１７は、各リード線８を収容する３つのリード線収容領域１８を形成するものである。これにより、各リード線８同士が接触することが防止されるため、電動モータ１の振動等の要因によって万が一リード線８の被覆が剥がれた場合でも、各リード線８間の電気的絶縁が保たれる。
【００２０】
なお、外側保護部１５ａ及び内側保護部１５ｂの形状は、特に上記のものに限られず、いずれも筒状を有するものであっても良いし、いずれもＵ字型を有するものであっても良い。
【００２１】
また、カバー本体１４の外面における張出部１６に隣接する部位には、取付ブラケット１３を用いて端子カバー１２をモータ本体部２に取り付けるときに、取付ブラケット１３の端子カバー固定用フレーム１３ｂが嵌め込まれる溝部１９が形成されている。
【００２２】
以上のように構成した電動モータ１を組み上げる場合は、まず図示しないスクリュー等により３つの端子台１１を取付ブラケット１３の端子台固定板１３ａに並ぶように固定し、その状態で取付ブラケット１３の端子カバー固定用フレーム１３ｂを端子カバー１２の溝部１９に嵌め込む（図３参照）。このとき、端子カバー１２はゴムで形成されているので、端子カバー１２を弾性変形させることで簡単に端子カバー固定用フレーム１３ｂを溝部１９に嵌めることができる。なお、端子カバー固定用フレーム１３ｂを端子カバー１２の溝部１９に嵌め込んだ後に、端子台固定板１３ａに端子台１１を固定してもよい。
【００２３】
続いて、モータ本体部２から取り出された３本の外部接続用端子９を、端子カバー１２のリード線保護部１５の各リード線収容領域１８に対して外側から挿通させる。そして、その状態で、モータ本体部２にエンドブラケット５，６を組み付け、エンドブラケット５，６同士をネジ２０で連結する。また、取付ブラケット１３をボルト２１でエンドブラケット６に固定する（図１及び図３参照）。これにより、端子カバー１２が各端子台１１を覆った状態でモータ本体部２に固定されると共に、端子カバー１２の外側保護部１５ａがエンドブラケット６に覆われた状態となる。
【００２４】
続いて、端子カバー１２のカバー本体１４をモータ本体部２の上方にめくり上げ、各端子台１１を露出させる。そして、その状態で、各外部接続用端子９の接続端子部１０を端子用ボルト２２で各端子台１１に接続する。このとき、上記のように端子カバー１２はゴムで形成されているので、カバー本体１４を簡単にめくり上げることができる。その後、カバー本体１４を元の状態（図１及び図３に示す状態）に戻すことで、電動モータ１を組み上げが完了する。
【００２５】
ここで、比較例として他の端子カバーを図７に示す。この端子カバー５０は、本実施形態の端子カバー１２とは、外側保護部１５ａ及び仕切り板１７が無い点で異なっている。このような端子カバー５０をモータ本体部２に取り付けた状態では、各外部接続用端子９における接続端子部１０及び接続端子部１０近傍辺りのリード線８は、端子カバー５０に覆われるが、リード線８の他の部分は露出した状態となるため、リード線８に傷などが付いたり、振動等によってリード線８の被覆が割れて電気的絶縁性が劣化することがある。
【００２６】
そのような不具合を防止するためには、図８に示すように、各リード線８の露出部分をガラスチューブ５１に通して保護する必要がある。しかし、この場合には、端子カバー５０に加えて、３本のガラスチューブ５１が必要となるため、電動モータの部品点数や部品種類が多くなる。また、各リード線８を１本ずつガラスチューブ５１に通す必要があるので、電動モータの組み付け作業が煩雑になる。
【００２７】
これに対し、本実施形態の電動モータ１で使用される端子カバー１２は、カバー本体１４とリード線保護部１５とを一体化させ、リード線保護部１５に、３つのリード線収容領域１８を形成する仕切り板１７を設けた構成となっており、リード線保護部１５が図８に示すガラスチューブ５１としての機能を果たしている。従って、この場合には、３本のガラスチューブ５１が不要となるので、電動モータ１の部品点数や部品種類を減らすことができる。また、リード線８を１本ずつガラスチューブ５１に通す必要がないので、モータ本体部２への端子カバー１２の取り付けが容易に行えるようになり、電動モータ１の組み付けに関する作業性が向上する。
【００２８】
なお、本発明は、上記実施形態に限定されるものではない。例えば、上記実施形態では、リード線保護部１５は外側保護部１５ａ及び内側保護部１５ｂからなっているが、リード線８の長さ等によっては、外側保護部１５ａ及び内側保護部１５ｂのいずれか一方のみを有するものであっても良い。
【００２９】
また、上記実施形態では、取付ブラケット１３を用いて端子カバー１２と端子台１１とを一緒にモータ本体部２に固定する構成としたが、端子カバー１２及び端子台１１を別々にモータ本体部２に固定しても良い。
【００３０】
さらに、上記実施形態の電動モータ１は３相誘導モータであるが、本発明は、特に３相誘導モータに限られず、モータ本体部から取り出された複数本の外部接続用端子を有するものであれば適用可能である。
【図面の簡単な説明】
【００３１】
【図１】本発明に係わる電動モータの一実施形態の最終的に組み付けられた状態を示す斜視図である。
【図２】図１に示す電動モータの分解斜視図である。
【図３】図１に示す電動モータを反対側から見たときの部分斜視図である。
【図４】図１に示す端子カバーを裏面側から見たときの斜視図である。
【図５】図４に示す端子カバーの正面図である。
【図６】図５のVI−VI線断面図である。
【図７】比較例として他の端子カバーを裏面側から見たときの斜視図である。
【図８】図７に示す端子カバーを備えた電動モータの分解斜視図である。
【符号の説明】
【００３２】
１…電動モータ、２…モータ本体部、３…回転子、４…固定子、８…リード線、９…外部接続用端子、１１…端子台、１２…端子カバー、１３…取付ブラケット、１４…カバー本体、１５…リード線保護部、１５ａ…外側保護部、１５ｂ…内側保護部、１７…仕切り板、１８…リード線収容領域、１９…溝部。
【図１】
2005318742.tif 000003
【図２】
2005318742.tif 000004
【図３】
2005318742.tif 000005
【図４】
2005318742.tif 000006
【図５】
2005318742.tif 000007
【図６】
2005318742.tif 000008
【図７】
2005318742.tif 000009
【図８】
2005318742.tif 000010